(57)【要約】      （修正有）【課題】調弦の際のナット溝底に対する弦スライド量をできるだけ小さくすることにより溝底の摩耗を最小限に食い止め、ローラ付きナットの寿命を延ばすことができる弦楽器の昇降調弦装置及び方法を提供する。【解決手段】弦楽器１０１の指板１０３とヘッド１０５の上に張られナット溝１０６ｇで維持された複数の弦１０９の下に挿入してヘッドもしくは指板の上に設置するベース板と、当該ベース板と弦との間に配する弦維持構造と、当該弦維持構造を当該ベース板に対して降下可能に上昇させて弦を押し上げる昇降構造と、により弦楽器の昇降調弦装置１を構成する。この装置は、押し上げた弦をテンション方向に往復スライド可能に個別維持するように構成してあり、個別維持によりナット溝底に対する負担を軽減する。【選択図】図１
2012181380.tif 000002
【特許請求の範囲】
【請求項１】
弦楽器の指板上に張られナット溝で維持された複数の弦の下に挿入してヘッドもしくは指板の上に設置するベース板と、
当該ベース板と弦との間に配する弦維持構造と、
当該弦維持構造を当該ベース板に対して降下可能に上昇させて弦を押し上げる昇降構造と、を備え、
当該弦維持構造は、押し上げた弦をテンション方向に往復スライド可能に個別維持するように構成してある
ことを特徴とする弦楽器の昇降調弦装置
【請求項２】
前記弦維持構造は、往復スライドする弦各々と転がり接触する弦の本数と同数のローラーを含む
ことを特徴とする請求項１記載の弦楽器の昇降調弦装置。
【請求項３】
前記ローラーの外周には、設置時に弦を受け入れる環状溝を形成してあり、
当該環状溝は、溝底と当該溝底両側から末広がりに立ち上がる両傾斜壁により仕切ってある
ことを特徴とする請求項２記載の弦楽器の昇降調弦装置。
【請求項４】
前記両傾斜壁のうち受け入れた弦の太さ方向テンションがかかる側の傾斜壁は、当該弦の太さ方向テンションの前記溝底方向の分力が、調弦後に下降させた当該弦を元の前記ナット溝に受け入れ可能な位置に移動させもしくは保持するように形成してある
ことを特徴とする請求項３記載の弦楽器の昇降調弦装置。
【請求項５】
前記昇降構造は、前記ローラーを回転自在に維持するローラー維持体を含めて構成してあり、
前記ローラー維持体は、前記ベース板に対して揺動可能に構成してあり、揺動させることにより前記ローラーが昇降するように構成してある
ことを特徴とする請求項２ないし４いずれか記載の弦楽器の昇降調弦装置。
【請求項６】
さらに、前記ベース板をヘッドもしくは指板に固定するための固定構造を備えている
ことを特徴とする請求項１ないし５いずれか記載の弦楽器の昇降調弦装置。
【請求項７】
弦楽器の指板とヘッドの上に張られナット溝で維持された複数の弦を、個別調弦可能に維持しながら上昇させてナット溝の溝底から浮かせ、浮かせた状態で調弦し、調弦後に降下させて溝底上に戻す
ことを特徴とする弦楽器の昇降調弦方法。
【発明の詳細な説明】
【技術分野】
【０００１】
本発明は、ギター、マンドリン、バイオリンに代表される弦楽器に張ってある弦を押し上げ、押し上げた状態の弦をスライドさせることのできる弦楽器の昇降調弦装置および方法に関する。
【背景技術】
【０００２】
種々ある弦楽器一つにギターがある。ギターの弦は、本体となるボディの表板に取り付けられたブリッジとネックの一部である指板とヘッドとの間に設けられたナットによって所定位置に維持されるようになっている。弦に張力を不可するのはヘッドに設けられたペグ（糸巻）である。
【０００３】
ナットは、プラスティック、牛骨、カーボン、ブラス（真鍮）など、様々な材質のものがあり、弦を受け入れるための細長い溝を備えている。その溝の溝底は、弦を「点」で支えるようにヘッドに向かって下り傾斜する曲面状に形成されている。点接触が求められるのは弦と溝底の接触面が広がると、弾かれた弦との間で、いわゆる「ビビリ音」が生じてしまうので、それを防ぐためである。
【０００４】
一方、弦は、調弦（チューニング）する必要があり、調弦はペグの回転により行う。調弦を行うと溝底に対して弦がスライド（摺動）するので、溝底の摩耗原因となる。ギターでは、主に低音部の弦（第４〜６弦）は樹脂製の弦の周りを金属線でコイル巻きした巻弦が使われていて、この巻弦表面の凹凸が強い張力のもとで溝底の摩耗を加速させる。摩耗は溝底だけでなく、溝を挟む両溝壁が摩耗する場合もある。摩耗が進んだナットは、弦と溝底との接触面が広がって「ビビリ音」が出てしまうので、これを新しいものと取り替えなければならない。
【０００５】
しかしながら、ナットというものは弦とその溝底との接触具合により音質に微妙な変化を与えるものであるから熟練工による調整が求められる。そのため、工賃の負担がたいへん重い。これに加え、素材も高価である。これらの理由から、ナットの交換頻度をなるべく減らしたいのが演奏者の願いである。一方、その他の楽器も同じであるが、ギターにはいわゆる「ビンテージもの」と呼ばれる特定のブランドや製造時期のものがあり、これらはたいへん高価なものとして扱われている。ビンテージもののギターに使われているナットは、それ自体がビンテージものであるから、これを別のものに交換したらギター全体の価値を下げてしまう。交換はできないに等しい。
【０００６】
そのような背景の中で、発生する摩擦力を小さくするために、ナットをローラー（以下「ローラー付きナット」と略称する）で構成することが提案されている（特許文献１参照。
【先行技術文献】
【特許文献】
【０００７】
【特許文献１】特開平７−５６５５８号公報（段落００２９参照）
【発明の概要】
【発明が解決しようとする課題】
【０００８】
しかしながら、音質維持のためには振動や移動はできるだけ無い方がよい。そもそもローラーは回転体であるから摩擦軽減のためにはよくても音質維持のためには疑問が残る。さらに、ローラー付きナットをビンテージもののギターに付けるためには、元々付いていた（ビンテージものの）ナットと交換する必要が出てくるので、採用することができない。ナットを使って弦を張る限りそのナットの摩耗を完全に防ぐことはできないので、調弦回数を減らすための努力をする以外にナットを長持ちさせる方法がなかった。
【０００９】
本発明は、そのような状況を改善するためになされたものである。すなわち、調弦の際のナット溝底に対する弦スライド量をできるだけ小さくすることにより溝底の摩耗を最小限に食い止め、もって、ナットの寿命を飛躍的に延ばすことを目的とする。
【課題を解決するための手段】
【００１０】
上記課題を解決するために本発明は、調弦する際の弦を押し上げてナット溝底から浮かせることで上述した本発明の課題を解決した。その詳しい内容については項を改めて説明する。なお、いずれかの発明の説明をするに当たって行う用語の定義等は、発明のカテゴリー、記載順その他に関わらず他の発明にも適用されるものとする。
【００１１】
（請求項１記載の発明の特徴）
請求項１記載の発明にかかる昇降調弦装置（以下、「請求項１の昇降調弦装置」は、弦楽器の指板とヘッドの上に張られナット溝で維持された複数の弦の下に挿入してヘッドもしくは指板の上に設置するベース板と、当該ベース板と弦との間に配する弦維持構造と、当該弦維持構造を当該ベース板に対して降下可能に上昇させて弦を押し上げる昇降構造と、を備えている。ここで、当該弦維持構造は、押し上げた弦をテンション方向に往復スライド可能に個別維持するように構成してあることを特徴とする。弦維持構造と弦との関係には、たとえば、摺動接触や転がり接触がある。
【００１２】
請求項１の昇降調弦装置によれば、昇降構造の作用により弦維持構造が上昇して弦を押し上げてナット溝の溝底に対する負荷を軽減もしくは消滅させる。押し上げられた状態の弦は、テンション方向に往復スライド可能であるから、各々の弦を個別にスライド、すなわち、調弦することができ、負担の軽減もしくは消滅により弦スライドによる溝底の摩耗は比べられないほど小さい。弦を押し上げたままでは演奏できないので、演奏時には昇降構造を上昇時とは逆方向に働かせて弦維持構造を降下させ、弦をナット溝の中に戻して維持させたところで昇降調弦装置を弦の下から抜き取ればよい。その後、必要に応じて細かな調弦を行う。細かな調弦に際しては溝底に対する負荷が増加するが、弦をまったく上昇させない場合に比べその負荷はきわめて小さい。したがって、溝底の摩耗は限りなくゼロに近い。これにより、ナットの寿命を格段に延ばすことができる。
【００１３】
（請求項２記載の発明の特徴）
請求項２記載の発明にかかる昇降調弦装置（以下、「請求項２の昇降調弦装置」という）は、請求項１の昇降調弦装置であって、前記弦維持構造は、往復スライドする弦各々と転がり接触する弦の数と同数のローラーを含むことを特徴とする。
【００１４】
請求項２の昇降調弦装置は、請求項１の昇降調弦装置の作用効果とともに、ローラーと転がり接触する弦への負担はたいへん小さいので、弦自体の寿命も併せて延ばすことができる。
【００１５】
（請求項３記載の発明の特徴）
請求項３記載の発明にかかる昇降調弦装置（以下、「請求項３の昇降調弦装置」という）は、請求項２の昇降調弦装置であって、前記ローラーの外周には、設置時に弦を受け入れる環状溝を形成してあり、当該環状溝は、溝底と当該溝底両側から末広がりに立ち上がる両傾斜壁により仕切ってあることを特徴とする。すなわち、環状溝の断面形状は、ローラーの中心から外周に向かって広がるＶ字類似の形状となるが、必ずしも左右対称である必要はない。
【００１６】
請求項３の昇降調弦装置によれば、請求項２の昇降調弦装置の作用効果に加え、傾斜壁が末広がりに立ちあがっているので、弦維持構造が弦を受け入れやすい。つまり、操作が簡単になる。
【００１７】
（請求項４記載の発明の特徴）
請求項４記載の発明にかかる昇降調弦装置（以下、「請求項４の昇降調弦装置」という）は、請求項３の昇降調弦装置であって、前記両傾斜壁のうち受け入れた弦の太さ方向テンションがかかる側の傾斜壁は、当該弦の太さ方向テンションの前記溝底方向の分力が、調弦後に下降させた当該弦を元の前記ナット溝に受け入れ可能な位置に移動させもしくは保持するように形成してあることを特徴とする。太さ方向テンションとは、調弦により生ずる（調弦方向）テンションとは別のテンションであり弦を横断する方向のテンションのことをいう。
【００１８】
請求項４の昇降調弦装置によれば、請求項３の昇降調弦装置の作用効果に加え、次の作用効果が生じる。太さ方向のテンションが生じるとそのままでは弦とナット溝の位置にズレが生じて弦を降下させたときに元のナット溝に受け入れられないことになる。請求項３の昇降調弦装置によれば、元のナット溝に受け入れられるようになる。すなわち、太さ方向テンションを受けた傾斜壁には溝方向の分力が生じる。この分力を、弦を溝方向に移動させもしくは維持することにより降下させた弦が元のナット溝内に受け入れられるように調整する。
【００１９】
（請求項５記載の発明の特徴）
請求項５記載の発明にかかる昇降調弦装置（以下、「請求項５の昇降調弦装置」という）は、請求項２ないし４いずれかの昇降調弦装置であって、前記昇降構造は、前記ローラーを回転自在に維持するローラー維持体を含めて構成してあり、前記ローラー維持体は、前記ベース板に対して揺動可能に構成してあり、揺動させることにより前記ローラーが昇降するように構成してあることを特徴とする。
【００２０】
請求項５の昇降調弦装置によれば、請求項２ないし４いずれかの昇降調弦装置であって、ローラーはローラー維持体に対して回転し、ローラー維持体はベース板に対して揺動する。揺動によりベース板に対するローラーの位置が弧を描いて変化するので、この変化を利用してローラーを昇降させる。
【００２１】
（請求項６記載の発明の特徴）
請求項６記載の発明にかかる昇降調弦装置（以下、「請求項６の昇降調弦装置」という）は、請求項１ないし５の昇降調弦装置であって、さらに、前記ベース板をヘッドもしくは指板に固定するための固定構造を備えていることを特徴とする。
【００２２】
請求項６の昇降調弦装置は、請求項１ないし５いずれか記載の昇降調弦装置であって、固定構造の働きによりベース板をヘッドもしくは指板に固定することができ、これによって、昇降調弦装置を安定して設置することができる。すなわち、調弦によって弦がテンション方向にスライドするときにベース板に負荷がかかるが、その負荷によりベース板が移動するおそれがあるのでこれを未然に防ぐためである。
【００２３】
（請求項７記載の発明の特徴）
請求項７記載の発明にかかる昇降調弦方法（以下、「請求項７の昇降調弦方法」という）は、弦楽器の指板とヘッドの上に張られナット溝で維持された複数の弦を、個別調弦可能に維持しながら上昇させてナット溝の溝底から浮かせ、浮かせた状態で調弦し、調弦後に降下させて溝底上に戻すことを特徴とする。
【００２４】
請求項７の昇降調弦方法によれば、弦を押し上げてナット溝の溝底に対する負荷を軽減もしくは消滅させる。押し上げられた状態の弦は、テンション方向に往復スライド可能であるから、各々の弦を個別にスライド、すなわち、調弦することができ、負担の軽減もしくは消滅により弦スライドによる溝底の摩耗は比べられないほど小さい。弦を押し上げたままでは演奏できないので、演奏時には弦を降下させてナット溝の中に戻して維持させる。その後、必要に応じて細かな調弦を行う。細かな調弦に際しては溝底に対する負荷が増加するが、弦をまったく上昇させない場合に比べその負荷はきわめて小さい。したがって、溝底の摩耗は限りなくゼロに近い。これにより、ナットの寿命を格段に延ばすことができる。
【発明の効果】
【００２５】
本発明によれば、調弦の際のナット溝底に対する弦スライド量をできるだけ小さくすることにより溝底の摩耗を最小限に食い止め、もって、ナットの寿命を飛躍的に延ばすことができる。
【図面の簡単な説明】
【００２６】
【図１】ギターヘッドに設置した昇降調弦装置の平面図である。
【図２】昇降調弦装置の平面図である。
【図３】図１に示す昇降調弦装置の正面図である。
【図４】図３に示す昇降調弦装置の左側面図である。
【図５】図３に示す昇降調弦装置のＡ−Ａ断面図である。
【図６】他のギターヘッドに設置した昇降調弦装置の平面図である。
【図７】本変形例に係るローラーの縦断面図である。
【発明を実施するための形態】
【００２７】
ここで、本発明を実施するための最良の形態（以下、適宜「本実施形態」という）について説明する。本実施形態に係る弦楽器はエレクトロニック・ギター（エレキギター）としたが、これ以外のギター（クラシックギター、フラメンコギターなど）や他の弦楽器（マンドリン、バイオリンなど）も含まれる。本明細書では、上記したエレクトロニック・ギターのことを単に「ギター」と呼ぶことにする。
【００２８】
（ギターの概略構造）
図１に示すギター１０１は、指板１０３とそれに続くヘッド１０５と、ヘッド１０５と反対側の指板１０３の先にギター本体（図示を省略）を備えている。指板１０３とヘッドの間には、ギター本体に取り付けられたブリッジ（図示を省略）との間で弦１０９を支持するナット１０６を備えている。ナット１０６は、指板１０３とヘッド１０５の上に張られた第１〜６の弦１０９ａ〜１０９ｆを各々対応したナット溝１０６ｇの中に受け入れることにより維持するようになっている。第１〜６の弦１０９ａ〜１０９ｆ各々の末端は、ノブ１０８によって巻上げ回転するペグ１０７に巻きつけられている。ノブ１０８の回転は第１〜６の弦１０９ａ〜１０９ｆをテンション方向（弦の長さ方向）にスライドさせ、これにより調弦可能となる。この状態で調弦すると、ナット１０６と接触している弦のスライドによりナット１０６を摩耗させやすい状態にある。
【００２９】
（昇降調弦装置の構成）
図１〜４を参照しながら、昇降調弦装置１について説明する。図１に示すように昇降調弦装置１は、ベース部３と、弦維持構造５と、昇降構造７と、により概略構成してある。ベース部３は、昇降調弦装置１全体をギターに取り付けるための部位である。具体的には、複数の弦１０９ａ〜１０９ｆの下に挿入してヘッド１０５の上に設置するベース板１１と、ベース板１１の一端をＵ字状に湾曲させたＵ字アーム１３と、Ｕ字アーム１３の開放端に繋がりベース板１１と対向する裏板１５と、により構成してある。図３に示すようにＵ字アーム１３は、ヘッド（図３では図示を省略）を挿入する空間Ｓを、ベース板１１と裏板１５との間に作るための部材である。ベース板１１は、次に述べる固定構造によりギター１０１のヘッド１０５に固定可能になっている。ベース板１１の固定は、昇降調弦装置１全体の固定でもある。
【００３０】
裏板１５には、裏板１５を貫通するネジ孔（図示を省略）にネジ結合して厚み方向（図３における上下方向）に往復進行可能な蝶ネジ２３を設けてある。空間Ｓに突き出した蝶ネジ２３の先端には、押え片２１をＴ字状に固定してある。押え片２１の開放面（図３における上面）には、クッション材２４を固定してある。以上の構成により、蝶ネジ２３を締め付け方向に回して押え片２１を上昇させクッション材２４を、空間Ｓに挿入したヘッド１０５に押し付けることによりベース板１１（昇降調弦装置１全体）をヘッド１０５に固定できる。固定を解除するときは、蝶ネジ２３を締め付け方向とは逆の緩め方向に回して押え片２１を下降させる。これまで述べてきたＵ字アーム１３、裏板１５、蝶ネジ２３、押え片２１およびクッション材２４は、本実施形態における固定構造１２を構成する。なお、本実施形態ではヘッド１０５の上にベース板１１等を設置するようにしてあるが、指板１０３の上に設置するようにしてもよい。
【００３１】
（弦維持構造の構成）
図２〜４を参照しながら弦維持構造５について説明する。弦維持構造５は、ベース板１１と弦１０９との間に配される。弦維持構造５は、ローラー３１と、ローラーケースと、ローラー軸３５と、ケース保持体３７と、ケース軸３９と、により構成してある。ローラー３１は、第１弦〜第６弦１０９ａ〜１０９ｆ（図１参照）の各々に対応する第１弦〜第６弦ローラー３１ａ〜３１ｆからなる。第１弦〜第６弦ローラー３１ａ〜３１ｆは、弦が並ぶ方向に一直線上に並びローラー軸３５の周りを独立して回るように構成してある。すなわち、各ローラーは摩耗に強く摩擦係数の小さい合成樹脂によって構成してあるため、隣り合わせたローラー３１ｅとは滑り接触するようになっている。このため、各ローラーは回転に際して互いに独立しており、各々の弦を個別維持可能になっている。
【００３２】
（ローラーの構成）
まず、第６弦ローラー３１ｆについて説明する。第６弦ローラー３１ｆは、糸巻きに似た形状に構成してある。第６弦ローラー３１ｆの軸方向中央には、その全周に渡って環状のローラー溝３１ｇ（図３参照）を形成してある。ローラー溝３１ｇは、第６弦１０９ｆを受け入れ横ズレを防ぐための溝である。第６弦ローラー３１ｆは、調弦に伴う第６弦１０９ｆのテンション方向の往復スライドに対して回転し転がり接触する。転がり接触させるローラーの代わりに滑り接触する部材（図示を省略）を採用してもよい。なお、弦の太さに応じて各ローラーのローラー溝３１ｇ（図２参照）の幅が若干異なるだけで、その他の構造は第１弦ローラー〜第５弦ローラー３１ａ〜ｅと異ならない。よって、ここでは、第６弦ローラー３１ｆについてだけ説明し、他のローラーについての説明を省略する。
【００３３】
（ローラーケースの構成）
図２〜４に示すように、ローラー３１は、ローラーケース（ローラー維持体）３３に収容維持されている。ローラーケース３３はＵ字底部３４を有する縦に長い箱体である。一方、ローラーケース３３の長さ方向に細長く形成してあり、長さ方向両端にローラー軸３５の両端部を固定してある。ローラー軸３５に回転自在に支持されたローラー３１は、その半径の半分ほどが上端開口部から外部に露出するようにローラーケース３３内部に収容されている。Ｕ字底部３４を形成したのは、ベース板１１の上に固定されたストッパー４０（図３，４参照）との間に嵌合関係を形成するためである。すなわち、図５に示すように、ストッパー４０はＵ字底部３４とほぼ同じ曲率のＵ字凹部を有している。Ｕ字凹部４０ａは、その両側の壁部４０ｂ（図５参照）を乗り越えたＵ字底部３４を受け入れ保持する保持構造としての機能を有している。この保持により、ベース板１１に対するローラーケース３３の位置決めがなされる。なお、ローラー軸３５は、後述するケース保持体３７の側壁３７ｂに対しては空回りするようになっている。
【００３４】
（昇降構造の構成）
図２〜５を参照しながら、昇降構造７について説明する。昇降構造７は、先に述べたローラーケース３３と、ケース軸３９と、ケース保持体３７と、ハンドル３８と、により構成してある。ケース保持体３７は、ローラーケース３３より僅かに長い底板部３７ａと、底板部３７ａの両端から起立する両側板部３７ｂと、から構成してある。底板部３７ａはベース板１１の上に固定してある。両側部３７ｂにはケース軸３９が固定してある。ローラーケース３３はケース軸３９に、その周りを揺動するように取り付けてある。ケース軸３９はＵ字底部に丸みのほぼ中心に位置している。前述したようにローラーケース３３は縦に長い箱体であるので、側面視したときのケース軸３９は、ローラーケース３３に対して偏芯している（図５参照）。なお、ハンドル３８は、図４に示すように回転させることにより、図５に示すようにローラーケース３３の姿勢（起立、横倒し）を変更するようにするためのものである。
【００３５】
（本実施形態の作用効果）
昇降構造７の作用効果を中心に説明する。ローラーケース３３横倒し状態（図５の２点鎖線）のときは２点鎖線で示す弦１０９とローラー３１（３１ｆ）との接触はない。このときの弦１０９は、ナット１０５の溝底に維持されている。ここでハンドル３８を回転させ（図４参照）、図５に示すようにローラーケース３３を起立させると、ローラー３１はベース板１１に対して弧を描きながら上昇して弦１０９（実線で示す）を押し上げる。押し上げにより弦１０９はナット１０５の溝底から離れる。ここで調弦により弦１０９がテンション方向にスライドしてもローラー３１はこれと転がり接触しながら追従するので、ナット１０５の溝底に対する負担はない。調弦後にハンドル３８を反対方向に回転させるとローラー３１（３１ｆ）は同じく弧を描きながら降下して弦１０９との接触がなくなる。このとき弦１０９は再びナット１０５の溝底に維持される。したがって、調弦の際のナット溝底に対する弦スライド量をできるだけ小さくすることにより溝底の摩耗を最小限に食い止め、もって、ナットの寿命を飛躍的に延ばすことができる。
【００３６】
（ローラーの変形例）
図６および７を参照しながら、ローラーの変形例について説明する。先に説明したローラー３１と、本変形例に係るローラー３１´が異なるのは、それらのローラー溝の形状である。まず、ローラー溝の形状を異ならせる前提を説明する。本実施形態に係る各ペグ１０７は、それぞれが各ナット溝１０６ｇの延長線上にある（図１参照）。つまり、弦１０９（１０９ａ〜１０９ｅ）は、指板１０３上から各ペグ１０７に向かって真っすぐに伸びている。この状態の弦には太さ方向（図１の横方向）のテンションは生じない。したがって、太さ方向テンションをローラー３１のローラー溝３１ｇ（の溝壁）が受けることもないか、あっても無視できる範囲である。
【００３７】
一方、ペグ１０７の上に二重三重もしくはそれ以上に重ねて巻かれると、重ねた分だけ弦１０９の位置がペグ１０７よりも太さ方向（図１の右方向）にずれ、ずれたことにより弦１０９には太さ方向のテンションが生じる。この太さ方向テンションが大きすぎると、弦１０９をローラー溝３１ｇから外れてしまう恐れがある。図６に示すように、ペグ１０７´がナット溝１０６ｇの延長線上からずれた位置のヘッド１０５´上に設けられている場合はなおさらである。ローラー溝３１ｇから外れた弦１０９は、調弦前の位置と異なる位置にあるので昇降構造７の操作によりローラー３１を降下させたときナット溝１０６ｇに受け入れられない場合が起こり得る。太さ方向テンションがかかっている弦１０９を調弦後にナット溝１０６ｇ内に受け入れられる位置に移動させもしくは維持するために本変形例に係るローラー３１´を採用したのである。
【００３８】
では、本変形例に係るローラー３１´について具体的に説明する。図７に示すようにローラー３１´のローラー溝３１´ｇはローラー３１´の周方向に延びる環状溝である。ローラー溝３１´ｇは、溝底３１´ｇａと溝底３１´ｇａ両側から末広がりに立ち上がる両傾斜壁３１´ｇｂ，３１´ｇｃにより仕切ったほぼＶ字状の溝である。ほぼＶ字状とはいえ、次に示す構造を備えていれば左右対称である必ずしも左右対称である必要はない。
【００３９】
両傾斜壁３１´ｇｂ，３１´ｇｃのうち受け入れた弦１０９ｆ（他の弦でも同じ）の太さ方向テンションがかかる側の傾斜壁（図７では傾斜壁３１´ｇｂ）は、弦１０９ｆの太さ方向テンションの溝底３１´ｇａ方向の分力Ｆが、調弦後に昇降構造７（図６参照）を操作して下降させた弦１０９ｆを元のナット溝１０６ｇ（図６）に受け入れ可能な位置に移動させもしくは保持するように形成してある。すなわち、太さ方向テンションにより調弦前上昇時の弦１０９ｆは傾斜壁３１´ｇｂ上で溝底３１´ｇａから離れる方向に移動しようとするが、分力Ｆがそれを阻止し溝底３１´ｇａ（もしくはそれより僅か上の傾斜壁３１´ｇｂ上）に保持する。その状態は調弦後の下降時も維持され（もしくは求める位置に移動させ）、これにより弦１０９ｆがナット溝１０６ｇに受け入れられる。分力Ｆの大きさは、太さ方向テンションの大きさや傾斜壁３１´ｇｂの傾斜角やその表面の摩擦係数、さらに、弦１０９ｆ表面の摩擦係数などにより決まる。弦の摩擦係数を制御できないから、分力Ｆの大きさは、弦１０９ｆが最適の位置に維持されるように、傾斜壁３１´ｇｂの傾斜角などにより調整することになる。なお、弦１０９ｆを下降させる際に、使用者が指などで弦の位置がナット溝１０６ｇに受け入れられる位置にくるように調整することを妨げるものではない。
【００４０】
本変形例に係るローラー３１´を採用すれば、ナット溝の延長線上のペグの上に重ね巻きされた弦や、延長線上にないペグによって巻かれた弦に生じた太さ方向テンションに関わらず調弦後の降下の際に、その弦が元のネット溝によって受け入れられる位置に移動させられ、もしくは維持されるので、上昇させて行った調弦後の弦下降を円滑かつ確実に行うことができる。
【符号の説明】
【００４１】
１          昇降調弦装置
３          ベース部
５          弦維持構造
７          昇降構造
１１        ベース板
１２        固定構造
１３        Ｕ字アーム
１５        裏板
２１        押え片
２３        蝶ネジ
２４        クッション材
３１        ローラー
３１ａ      第１弦ローラー
３１ｂ      第２弦ローラー
３１ｃ      第３弦ローラー
３１ｄ      第４弦ローラー
３１ｅ      第５弦ローラー
３１ｆ      第６弦ローラー
３１ｇ      ローラー溝
３３        ローラーケース（ローラー維持体）
３４        Ｕ字底部
３５        ローラー軸
３７        ケース保持体
３７ａ      底板部
３７ｂ      側板部
３８        ハンドル
３９        ケース軸
４０        ストッパー
４０ａ      Ｕ字凹部
４０ｂ      壁部
１０１      ギター（弦楽器）
１０３      指板
１０５      ヘッド
１０６      ナット
１０６ｇ    ナット溝
１０７      ペグ
１０８      ノブ
１０９      弦
１０９ａ    第１弦
１０９ｂ    第２弦
１０９ｃ    第３弦
１０９ｄ    第４弦
１０９ｅ    第５弦
１０９ｆ    第６弦
Ｓ          空間
【図１】
2012181380.tif 000003
【図２】
2012181380.tif 000004
【図３】
2012181380.tif 000005
【図４】
2012181380.tif 000006
【図５】
2012181380.tif 000007
【図６】
2012181380.tif 000008
【図７】
2012181380.tif 000009